(57)【要約】【課題】  月間ページにおいて１日の日付に関する記入欄を円として、１日における予定時間状況又は使用時間状況を容易に認識してライフログを把握できる綴じ手帳及びシステム手帳用のリフィルを提供する。【解決手段】  月間ページの見開きの上側に曜日が印刷された曜日欄１２が設けられ、曜日欄１２の下側に曜日に対応する日付の文字と、当該日付に関する記入欄としての円（サークル）１３が印刷されたものとしているので、１日における予定時間状況又は使用時間状況を可視化でき、１日及び１ヵ月の使用時間状況等を容易に認識できる綴じ手帳及びシステム手帳用のリフィルである。【選択図】        図１
0003232695.tif 000002
【実用新案登録請求の範囲】
【請求項１】
月間ページを有する手帳用の綴じ手帳であって、
当該月間ページの見開きの上側に曜日が印刷され、
前記曜日の下側に前記曜日に対応する日付と、当該日付に関する記入欄としての円が印刷されていることを特徴とする綴じ手帳。
【請求項２】
記入欄の円に、当該円の中心を示す印と、２４個の目盛りを設けたことを特徴とする請求項１記載の綴じ手帳。
【請求項３】
月間ページの見開きの左端又は右端に１ヵ月の日付欄が縦方向に配列されていることを特徴とする請求項１又は２記載の綴じ手帳。
【請求項４】
記入欄の円より大きい形状の円と、メモ記入欄とを備えるフリーサークルページを有することを特徴とする請求項１乃至３のいずれか記載の綴じ手帳。
【請求項５】
月間ページを有するシステム手帳用のリフィルであって、
前記システム手帳のリングで綴じた状態で、当該月間ページの見開きの上側に曜日が印刷され、
前記曜日の下側に前記曜日に対応する日付と、当該日付に関する記入欄としての円が印刷されていることを特徴とするシステム手帳用リフィル。
【請求項６】
記入欄の円に、当該円の中心を示す印と、２４個の目盛りを設けたことを特徴とする請求項５記載のシステム手帳用リフィル。
【請求項７】
月間ページの見開きの左端又は右端に１ヵ月の日付欄が縦方向に配列されていることを特徴とする請求項５又は６記載のシステム手帳用リフィル。
【請求項８】
請求項５乃至７のいずれか記載のシステム手帳用リフィルと、
記入欄の円より大きい形状の円と、メモ記入欄とを備えるフリーサークルページを有するリフィルとを含むことを特徴とするリフィルセット。
【考案の詳細な説明】
【技術分野】
【０００１】
本考案は、月間のページを有する綴じ手帳及びリフィルに係り、特に、１日の状況を可視化してライフログを容易に把握できる綴じ手帳及びリフィルに関する。
【背景技術】
【０００２】
［先行技術の説明］
従来の月間ページを有する綴じ手帳では、見開きで上側に曜日欄が印刷され、その曜日欄の下側に桝形で記入欄（日付記入欄）が設けられている。
その記入欄の例えば、右上に日付が印刷されるようになっている。
また、月間ページの例えば、左端に１ヵ月の日付欄が縦方向に配列されている。
月間ページのリフィルであっても、システム手帳のリングで綴じた状態で、綴じ手帳と同様の構成となっている。
【０００３】
［関連技術］
尚、関連する先行技術としては、特開２００５−０１４５７９号公報「業務等の管理ノート用帳票及びそれを用いたノート」（特許文献１）がある。
特許文献１には、デイリーのノートにおいて、１つ又は２つの円グラフが印刷され、任意の記入が可能となっている。
【先行技術文献】
【特許文献】
【０００４】
【特許文献１】特開２００５−０１４５７９号公報
【考案の概要】
【考案が解決しようとする課題】
【０００５】
従来の月間ページを有する綴じ手帳又はシステム手帳用のリフィルでは、月間ページにおいて日付記入欄は桝形であるため、月間ページで１日の予定時間状況又は使用時間状況を視覚的に認識できるものとはなっていないという問題点があった。
【０００６】
尚、特許文献１には、デイリーのページで、円グラフを使用できるものではあるが、月間ページにおいて１日単位で円グラフを使用できる構成については記載されていない。
【０００７】
本考案は上記実状に鑑みて為されたもので、月間ページにおいて１日の日付に関する記入欄を円として、１日における予定時間状況又は使用時間状況を容易に認識してライフログを把握できる綴じ手帳及びシステム手帳用のリフィルを提供することを目的とする。
【課題を解決するための手段】
【０００８】
上記従来例の問題点を解決するための本考案は、月間ページを有する綴じ手帳であって、当該月間ページの見開きの上側に曜日が印刷され、曜日の下側に曜日に対応する日付と、当該日付に関する記入欄としての円が印刷されていることを特徴とする。
【０００９】
本考案は、上記綴じ手帳において、記入欄の円に、当該円の中心を示す印と、２４個の目盛りを設けたことを特徴とする。
【００１０】
本考案は、上記綴じ手帳において、月間ページの見開きの左端又は右端に１ヵ月の日付欄が縦方向に配列されていることを特徴とする。
【００１１】
本考案は、上記綴じ手帳において、記入欄の円より大きい形状の円と、メモ記入欄とを備えるフリーサークルページを有することを特徴とする。
【００１２】
本考案は、月間ページを有するシステム手帳用のリフィルであって、システム手帳のリングで綴じた状態で、当該月間ページの見開きの上側に曜日が印刷され、曜日の下側に曜日に対応する日付と、当該日付に関する記入欄としての円が印刷されていることを特徴とする。
【００１３】
本考案は、上記システム手帳用リフィルにおいて、記入欄の円に、当該円の中心を示す印と、２４個の目盛りを設けたことを特徴とする。
【００１４】
本考案は、上記システム手帳用リフィルにおいて、月間ページの見開きの左端又は右端に１ヵ月の日付欄が縦方向に配列されていることを特徴とする。
【００１５】
本考案は、リフィルセットにおいて、上記システム手帳用リフィルと、上記記入欄の円より大きい形状の円と、メモ記入欄とを備えるフリーサークルページを有するリフィルとを含むことを特徴とする。
【考案の効果】
【００１６】
本考案によれば、月間ページを有する綴じ手帳であって、当該月間ページの見開きの上側に曜日が印刷され、曜日の下側に曜日に対応する日付と、当該日付に関する記入欄としての円が印刷されているものであり、１日における予定時間状況又は使用時間状況を可視化でき、１日及び１ヵ月の使用時間状況等を容易に認識できる効果がある。
【００１７】
本考案によれば、月間ページを有するシステム手帳用のリフィルであって、システム手帳のリングで綴じた状態で、当該月間ページの見開きの上側に曜日が印刷され、曜日の下側に曜日に対応する日付と、当該日付に関する記入欄としての円が印刷されているものであり、１日における予定時間状況又は使用時間状況を可視化でき、１日及び１ヵ月の使用時間状況等を容易に認識できる効果がある。
【図面の簡単な説明】
【００１８】
【図１】月間ページの見開きを示すＡ５サイズのリフィルの説明図である。
【図２】月間ページの見開きを示す聖書サイズのリフィルの説明図である。
【図３】日付とサークルを示す説明図である。
【図４】フリーサークルページの見開きを示すＡ５サイズのリフィルの説明図である。
【図５】フリーサークルページの見開きを示す聖書サイズのリフィルの説明図である。
【図６】月間ページの見開きの使用例を示すＡ５サイズの綴じ手帳の説明図である。
【図７】フリーサークルページの使用例を示すＡ５サイズの綴じ手帳の説明図である。
【考案を実施するための形態】
【００１９】
本考案の実施の形態について図面を参照しながら説明する。
［実施の形態の概要］
本考案の実施の形態に係るシステム手帳用のリフィル（本リフィル）は、月間ページを有し、システム手帳のリングで綴じた状態で、当該月間ページの見開きの上側に曜日が印刷され、曜日の下側に曜日に対応する日付と、当該日付に関する記入欄としての円（サークル）が印刷されたものとしているので、１日における予定時間状況又は使用時間状況を可視化でき、１日及び月間の使用時間状況等を容易に認識できるものである。
【００２０】
本考案の実施の形態に係る綴じ手帳（本綴じ手帳）は、月間ページを有し、当該月間ページの見開きの上側に曜日が印刷され、曜日の下側に曜日に対応する日付と、当該日付に関する記入欄としての円が印刷されたものとしているので、１日における予定時間状況又は使用時間状況を可視化でき、１日及び月間の使用時間状況等を容易に認識できるものである。
【００２１】
［本リフィル：図１，２］
次に、本リフィルの月間ページについて図１，２を参照しながら説明する。図１は、月間ページの見開きを示すＡ５サイズのリフィルの説明図であり、図２は、月間ページの見開きを示す聖書サイズのリフィルの説明図である。
本リフィルは、図１，２に示すように、Ａ５サイズのものと、聖書（バイブル）サイズのものが用意されている。
【００２２】
［Ａ５サイズの月間ページのリフィル：図１］
Ａ５サイズの月間ページのリフィルは、図１に示すように、（ａ）が見開きの左ページであり、（ｂ）が見開きの右ページである。尚、図１では、出願の図面に収まるよう、実際のサイズを縮小して描いている。
左ページの左上には月（例えば、「９  ＳＥＰＴＥＭＢＥＲ」）の文字が印刷され、その下、つまり、左ページの左端に当該月（１ヵ月）の日付の文字が縦方向に日付が配列された月の日付欄１１が印刷されている。各日付の文字は、短い横線で区切られている。
【００２３】
そして、左右のページの上側には、曜日（「ＭＯＮＤＡＹ」〜「ＳＵＮＤＡＹ」の文字）が横方向に配列された曜日欄１２が印刷されている。尚、曜日は、「ＳＵＮＤＡＹ」〜「ＳＡＴＵＲＤＡＹ」であってもよい。
曜日欄１２の下側には、各曜日に対応した日付の文字と当該日付に関する記入欄となる円（サークル）１３が印刷されている。日付の文字は円の左上の位置に設けられている。円の形状については、後述する。
また、右ページの右上には年（例えば「２０２２」）の文字が印刷され、右ページの右下には次の月のミニカレンダーが設けられている。
【００２４】
［聖書サイズの月間ページのリフィル：図２］
聖書サイズの月間ページのリフィルは、図２に示すように、（ａ）が見開きの左ページであり、（ｂ）が見開きの右ページである。尚、説明を分かり易くするために、実際の聖書サイズより図２では大きく描いている。
聖書サイズのリフィルは、図２に示すように、Ａ５サイズに比べてサイズは小さくなっており、特に縦横の比がＡ５サイズに比べて横方向に短くなっている。
従って、円１３もＡ５サイズに比べて間を狭めて配置している。
【００２５】
［日付とサークル：図３］
次に、本リフィルにおける日付と円（サークル）について図３を参照しながら説明する。図３は、日付とサークルを示す説明図である。
本リフィルの日付とサークルは、図３に示すように、サークル１３の左上に日付（例えば「２６」）の文字が配置され、サークル１３には、円の中心を示す印（中心印）１３ａが設けられ、更に円の線に沿って内側に目盛り１３ｂが設けられている。また、サークル１３の右上に日付が配置されてもよい。
【００２６】
中心印１３ａは、中心点で表されており、目盛り１３ｂは、２４個設けられ、２４時間分となるよう均等に配置されている。
また、目盛り１３ｂは、真上と真下の線と、真横の線を太くしている。つまり、真上を基準に０度とすると、９０度、１８０度、２７０度の箇所が太線の目盛りとなっている。
更に、目盛り１３ｂは円の線の内側に設けられているが、円の線の外側に設けてもよく、円の線の内外に設けてもよい。
【００２７】
本リフィルは、月毎の日付に合わせてサークル１３を配置したものであるが、曜日の下側に５つの円を縦方向に配置し、日付の文字、月の文字、年の文字、ミニカレンダーを設けないフリーの月間リフィルに適用することが可能である。
【００２８】
［フリーサークルページ：図４，５］
月間ページのリフィルと共に利用すると便利なフリーサークルページについて図４，５を参照しながら説明する。図４は、フリーサークルページの見開きを示すＡ５サイズのリフィルの説明図であり、図５は、フリーサークルページの見開きを示す聖書サイズのリフィルの説明図である。
フリーサークルとは、日付が印刷されていない円（サークル）２３であり、図３と同様に中心印２３ａと目盛り２３ｂとを備えている。
【００２９】
フリーサークルページでは、サークル２３毎に日付記入欄２１と、タイトル記入欄２２が設けられ、サークル２３の横にメモ記入欄２４が設けられている。
月間ページのリフィルでは、サークル１３は、時間管理に用いられたが、フリーサークルページでは、時間管理に限らず、サークル２３にパーセンテージで表されるものを自由な発想で記入できるようにしている。
【００３０】
月間ページのリフィルとフリーサークルページのリフィルとを別々に販売してもよいが、両者をセット（リフィルセット）で販売するようにしてもよい。
【００３１】
［本綴じ手帳の記入例：図６，７］
次に、上記ではリフィルについて説明したが、本リフィルのフォーマットを綴じ手帳に適用することが可能である。
本リフィルのフォーマットを綴じ手帳に適用した例について図６，７を参照しながら説明する。図６は、月間ページの見開きの使用例を示すＡ５サイズの綴じ手帳の説明図であり、図７は、フリーサークルページの使用例を示すＡ５サイズの綴じ手帳の説明図である。
【００３２】
月間ページの綴じ手帳では、図６に示すように、勉強時間、睡眠時間等を色分けして記入でき、特定の時刻にアクションするものは中心印１３ａから矢印で特定時刻を指示することができ、また、サークル１３内にイラストや文字を記載する使い方がある。
尚、日付を跨ぐスケジュールでは、サークルを線で結んだり、矢印を記入するなどして連続性を表すことができる。
更に、サークル１３がない空きスペースには、今月の目標を記入したり、メモを書き込むことができる。
【００３３】
また、フリーサークルページの綴じ手帳では、図７に示すように、タイトル記入欄２２にタイトルを記入し、サークル２３内を区分けして円内に記入し、更にメモ記入欄２４にメモを記入し、写真を貼ることができる。
フリーサークルページのサークル２３は、月間ページのサークル１３より大きいので、円内に多くの文字を書き込むことができ、更にメモ記入欄２４を利用すれば、多くのことを記入できるものである。
【００３４】
［実施の形態の効果］
本リフィルによれば、月間ページを有し、システム手帳のリングで綴じた状態で、当該月間ページの見開きの上側に曜日が印刷された曜日欄１２が設けられ、曜日欄１２の下側に曜日に対応する日付の文字と、当該日付に関する記入欄としての円（サークル）１３が印刷されたものとしているので、１日における予定時間状況又は使用時間状況を可視化でき、１日及び月間の使用時間状況等を容易に認識できる効果がある。
【００３５】
本綴じ手帳によれば、月間ページを有し、当該月間ページの見開きの上側に曜日が印刷された曜日欄１２が設けられ、曜日欄１２の下側に曜日に対応する日付の文字と、当該日付に関する記入欄としてのサークル１３が印刷されたものとしているので、１日における予定時間状況又は使用時間状況を可視化でき、１日及び月間の使用時間状況等を容易に認識できる効果がある。
【００３６】
また、本リフィル及び本綴じ手帳によれば、日々の行動予定、行動ログをサークル１３に書き込むことで、一目で可視化することができ、スケジュールや行動ログの変化を容易に把握することができる。
【００３７】
例えば、副業、フリーランス、アルバイトの人には、労働時間の管理に適しており、学生、資格学習の社会人には、勉強時間や学習内容の管理に適しており、健康意識の高い人には、睡眠時間や栄養バランスの管理に適している。
【産業上の利用可能性】
【００３８】
本考案は、月間ページにおいて１日の日付に関する記入欄を円として、１日における予定時間状況又は使用時間状況を容易に認識してライフログを把握できる綴じ手帳及びシステム手帳用のリフィルに適している。
【符号の説明】
【００３９】
１１…日付欄、  １２…曜日欄、  １３，２３…円（サークル）、  １３ａ，２３ａ…中心印、  １３ｂ，２３ｂ…目盛り、  ２１…日付記入欄、  ２２…タイトル記入欄、  ２４…メモ記入欄
【図１】
0003232695.tif 000003
【図２】
0003232695.tif 000004
【図３】
0003232695.tif 000005
【図４】
0003232695.tif 000006
【図５】
0003232695.tif 000007
【図６】
0003232695.tif 000008
【図７】
0003232695.tif 000009